(57)【要約】【課題】  指袋間の指股でも、孔開きがなく、かつ立体的で丸みを備える状態で指袋同士を繋げることができる、指袋付編地およびその編成方法を提供する。【解決手段】  指袋１は、先端の指先部１２を中間としてウエールが連続する先行側部分１１と後行側部分１３とが間隔を空けて対向するように形成される側方編地面１０と、先行側部分１１と後行側部分１３のコース端部間に形成される一対の接続編地面１５とを有する。隣接する指袋１，２間の指股５に形成する指股部分１６の両側で、一方の指袋１と他方の指袋２とは、側方編地面１０，２０同士のウエールが連続するので、孔開きがなく、かつ立体的で奥行きがある丸みを備える状態で指袋１，２同士を繋げることができる。【選択図】図１
2016216842.tif 000002
【特許請求の範囲】
【請求項１】
ベース編地に対して複数の指袋が編成される指袋付編地において、
各指袋は、
先端の指先部を中間として、先行側部分から後行側部分までウエールが連続し、先行側部分と後行側部分とが間隔を空けて対向するように形成される側方編地面と、
先行側部分と後行側部分の各コース端部間に形成される一対の接続編地面とを有し、
側方編地面は、
先行側部分と後行側部分とでウエール方向が逆方向となり、
コース方向には端部で折返すことを繰返す折返し編みで形成され、
接続編地面は、
指袋が並ぶ方向をウエール方向として、
ウエール方向の始端となる編目列で、先行側部分のコース方向の端部となる編目列に接続され、
かつウエール方向の終端となる編目列で、後行側部分のコース方向の端部となる編目列に接続され、
隣接する指袋間の指股に、一方の指袋と他方の指袋の側方編地面にウエールが連続する指股部分を有する、
ことを特徴とする指袋付編地。
【請求項２】
前記指股部分は、前記ウエールの編目数が前記コース方向について中央部よりも端部で多くなる、
ことを特徴とする請求項１記載の指袋付編地。
【請求項３】
前記一対の接続編地面と、前記側方編地面の指先部とは、コース方向に連続する、
ことを特徴とする請求項１または２記載の指袋付編地。
【請求項４】
ベース編地に対して複数の指袋が設けられる指袋付編地を、少なくとも前後に一組の針床を備える横編機を使用して編成する指袋付編地（４）の編成方法において、
ベース編地を編成し、
各指袋を、
先端の指先部を中間として、先行側部分から後行側部分までウエールが連続し、先行側部分と後行側部分とが間隔を空けて対向するように形成される側方編地面と、
先行側部分と後行側部分の各コース端部間に形成される一対の接続編地面とを、
有するように編成する際に、
側方編地面の先行側部分の形成を、
ベース編地端部コースの編目列の一部、または該編目列にウエール方向で続く編目列を編幅の一方に向けて移動させて空き針を設け、
空き針に掛け目を形成しながら、移動した編目列の編目に新たな編目をＣ字状の折返し編みで形成することを、
ベース編地から指袋の先端まで繰返して行う先行側ステップと、
一対の接続編地面の形成を、
コース方向の編目列を、側方編地面の先行側部分のコース方向の端部に形成された掛け目と、該部分のウエール方向終端コースの編目列とを合わせて、側方編地面の指先部とともにＣ字状の折返し編みで編成し、
編成した編目列を編幅の他方に向けて移動させて、編目列の端部の編目をベース編地の終端部の編目と重ねながら、
側方編地面の指先部とともに編成する、
ことを繰返す中間ステップと、
側方編地面の後行側部分の形成を、
コース方向の編目列をＣ字状に編成し、
編成した編目列を編幅の他方に向けて移動させて、編目列の端部の編目をベース編地の終端部の編目と重ねることを、
指袋の先端からベース編地まで繰り返して行う後行側ステップと、
を含むように編成し、
指袋間の指股では、先に編成する指袋の後行側部分に続き、コース方向の端部の編目とベース編地の終端部の編目とを接合するように、重ね目と新たな編目の形成とを繰り返して、指股部分を形成し、
指股部分の形成後に、後に編成する指袋の形成を、先に編成する指袋と同様に、先行側ステップ、中間ステップ、および後行側ステップを含む編成で行う、
ことを特徴とする指袋付編地の編成方法。
【発明の詳細な説明】
【技術分野】
【０００１】
本発明は、手袋や靴下などの指袋付編地およびその編成方法に関する。
【背景技術】
【０００２】
従来から、少なくとも前後一対の針床を備え、各針床に設ける編針で編地を編成する横編機で、手袋や靴下などが編成されている（たとえば、特許文献１参照）。特許文献１では、指袋を筒状編地として周回編成する。このような周回編成による筒状編地の指袋では、胴部の端部に各指袋のウエールが並んで吐出するように形成され、コース方向に沿う編糸は、周回しながらウエール方向で螺旋状に連続する。
【先行技術文献】
【特許文献】
【０００３】
【特許文献１】特許第４８４１４８８号公報
【発明の概要】
【発明が解決しようとする課題】
【０００４】
特許文献１で指袋となる筒状編地は、胴部などと接続する部分で開口し、指先では閉じるように、それぞれ独立して周回編成される。隣接する指袋の間は、指股として接合される。ただし、編糸が螺旋状に連続する筒状編地を胴部に接合する部分で、指股に孔が開いてしまうおそれがある。接合部分に孔が開かないようにするために、筒状編地を重ね目で直接繋ぐようにすると、指股で指袋としての筒径が小さくなってしまい、指への着用時に、窮屈になるおそれがある。
【０００５】
特許文献１では、接合する筒状編地のうちの一方の筒径を大きくしておいてから接合することで、重ね目で直接繋いでも、筒径が小さくならないようにしている。しかしながら、指股には丸みがなく、隣接する指袋同士には立体的な空間が得られても、指股にはさらに厚みがあり、余裕のあるものが望まれる。
【０００６】
本発明の目的は、指袋間の指股でも、孔開きがなく、かつ立体的で丸みを備える状態で指袋同士を繋げることができる、指袋付編地およびその編成方法を提供することである。
【課題を解決するための手段】
【０００７】
本発明は、ベース編地に対して複数の指袋が並ぶように編成される指袋付編地において、
各指袋は、
先端の指先部を中間として、先行側部分から後行側部分までウエールが連続し、先行側部分と後行側部分とが間隔を空けて対向するように形成される側方編地面と、
先行側部分と後行側部分の各コース端部間に形成される一対の接続編地面とを有し、
側方編地面は、
先行側部分と後行側部分とでウエール方向が逆方向となり、
コース方向には端部で折返すことを繰返す折返し編みで形成され、
接続編地面は、
指袋が並ぶ方向をウエール方向として、
ウエール方向の始端となる編目列で、先行側部分のコース方向の端部となる編目列に接続され、
かつウエール方向の終端となる編目列で、後行側部分のコース方向の端部となる編目列に接続され、
隣接する指袋間の指股に、一方の指袋と他方の指袋の側方編地面にウエールが連続する指股部分を有する、
ことを特徴とする指袋付編地である。
【０００８】
また本発明で、前記指股部分は、前記ウエールの編目数が前記コース方向について中央部よりも端部で多くなる、
ことを特徴とする。
【０００９】
また本発明では、前記一対の接続編地面と、前記側方編地面の指先部とは、コース方向に連続する、
ことを特徴とする。
【００１０】
さらに本発明は、ベース編地に対して複数の指袋が設けられる指袋付編地を、少なくとも前後に一組の針床を備える横編機を使用して編成する指袋付編地の編成方法において、
ベース編地を編成し、
各指袋を、
先端の指先部を中間として、先行側部分から後行側部分までウエールが連続し、先行側部分と後行側部分とが間隔を空けて対向するように形成される側方編地面と、
先行側部分と後行側部分の各コース端部間に形成される一対の接続編地面とを、
有するように編成する際に、
側方編地面の先行側部分の形成を、
ベース編地の端部コースの編目列の一部、または該編目列にウエール方向で続く編目列を編幅の一方に向けて移動させて空き針を設け、
空き針に掛け目を形成しながら、移動した編目列の編目に新たな編目をＣ字状の折返し編みで形成することを、
ベース編地（３）から指袋の先端まで繰返して行う先行側ステップと、
一対の接続編地面の形成を、
コース方向の編目列を、側方編地面の先行側部分のコース方向の端部に形成された掛け目と、該部分のウエール方向終端コースの編目列とを合わせて、側方編地面の指先部とともにＣ字状の折返し編みで編成し、
編成した編目列を編幅の他方に向けて移動させて、編目列の端部の編目をベース編地の終端部の編目と重ねながら、
側方編地面の指先部とともに編成する、
ことを繰返す中間ステップと、
側方編地面の後行側部分の形成を、
コース方向の編目列をＣ字状に編成し、
編成した編目列を編幅の他方に向けて移動させて、編目列の端部の編目をベース編地の終端部の編目と重ねることを、
指袋の先端からベース編地まで繰り返して行う後行側ステップと、
を含むように編成し、
指袋間の指股では、先に編成する指袋の後行側部分に続き、コース方向の端部の編目とベース編地の終端部の編目とを接合するように、重ね目と新たな編目の形成とを繰り返して、指股部分を形成し、
指股部分の形成後に、後に編成する指袋の形成を、先に編成する指袋と同様に、先行側ステップ、中間ステップ、および後行側ステップを含む編成で行う、
ことを特徴とする指袋付編地の編成方法である。
【発明の効果】
【００１１】
本発明によれば、側方編地面は、指袋間の指股に形成する指股部分にウエールが連続し、孔開きがなく、かつ立体的で奥行きがある丸みを備える指股部分で指袋同士を繋げることができる。側方編地面は、指袋の先端の指先部を中間とする先行側部分と後行側部分とについてもウエールが連続するので、指先も余裕を持って収容することができる。
【００１２】
また本発明によれば、指股部分を滑らかな曲面で、立体的に形成することができる。
【００１３】
また本発明によれば、側方編地面は指先部で接続編地面と連続するコースを有する。指袋の周囲となる編地面のコースとウエールとが連続するので、段差などの凹凸が無く、厚みが出ることで、指袋に挿入する指の指先にフィットさせることができる。
【００１４】
さらに本発明によれば、各指袋毎に、先行側ステップと、中間ステップと、後行側ステップとを含むようにして、複数の指袋がベース編地の端部に並ぶ指袋付編地を編成することができる。各指袋は、指股部分も含めてウエール方向に連続する側方編地面を有するように編成するので、指袋間の指股でも、孔開きがなく、かつ立体的で丸みを備える状態で指袋同士を繋げることができる。
【図面の簡単な説明】
【００１５】
【図１】図１は、本発明の一実施例となり、指袋１，２がベース編地３の端部に２本並ぶように編成される指袋付編地４の概略的な構成を示す簡略化した正面図である。
【図２】図２は、図１の指袋付編地４を編成する方法を示す編成概略図である。
【図３】図３は、図２の指袋付編地４を編成する方法の一部を模式的な編目で示す図である。
【図４】図４は、図２の指袋付編地４を編成する方法で、図３に続く部分を模式的な編目で示す図である。
【図５】図５は、図２の指袋付編地４を編成する方法で、図４に続く部分を模式的な編目で示す図である。
【図６】図６は、図１の指袋付編地４の適用例である手袋の形状を示す正面図である。
【発明を実施するための形態】
【００１６】
以下、図１から図６で、本発明の一実施例としての指袋付編地４およびその編成方法を示す。ただし、説明対象の図には記載されていない部分について、他の図に記載される参照符を付して言及する場合がある。
【実施例】
【００１７】
図１は、本発明の一実施例となり、指袋１，２をベース編地３の端部に２本並ぶように指袋付編地４として編成される指袋付編地４の概略的な構成を示す。図２は、図１の指袋付編地４を編成する方法を示す。図２の横方向は、一対の針床の一方、たとえば前針床で編成に使用する編針が含まれる区間の位置を示す。後針床でも同等の区間の編針が使用される。図の縦方向は、編成の進行に対応し、下から上の順に編成が進行する。
【００１８】
図２に示すように、まず胴部となるベース編地３を編成する。ベース編地３は、周回編成による筒状編地として形成する。
【００１９】
図１に示すように、指袋１は、先端の指先部１２を中間として、先行側部分１１から後行側部分１３までウエールが連続し、先行側部分１１と後行側部分１３とが間隔を空けて対向するように形成される側方編地面１０と、先行側部分１１と後行側部分１３の各コース端部間に形成される一対の接続編地面１５とを有する。
【００２０】
側方編地面１０は、先行側部分１１と後行側部分１３とでウエール方向１０Ｗが逆方向となり、コース方向には端部で折返すことを繰返す折返し編みで形成される。接続編地面１５は、指袋１，２が並ぶ方向をウエール方向１５Ｗとして、ウエール方向１５Ｗの始端となる編目列で、先行側部分１１のコース方向の端部となる編目列に接続され、かつウエール方向の終端となる編目列で、後行側部分でコース方向の端部となる編目列に接続される。なお、一対の接続編地面１５とは、図示の接続編地面１５と、その裏面側に形成されて対向する接続編地面１５とのことをいう。また、隣接する指袋１，２間の指股５では、一方の指袋１の後行側部分１３に続く指股部分１６の両側で、側方編地面１０，２０同士のウエールが連続する。
【００２１】
図２に示すように、指袋１は、ベース編地３の終端コースの編目列の一部に続けて編成する。次の指袋２も、指袋１と同様の編成手順で形成される。この編成手順は、先行側部分１１，２１を形成する際に掛け目１８の形成を伴う先行側ステップと、指先部１２および接続編地面１５，２５を形成する際の中間ステップと、後行側部分１３，２３を形成する際の後行側ステップとを含む。これらのステップについては後述する。指袋１，２は順次編成され、指袋２を編成する段階では、指袋１は編針から外れているので、指袋２の編成にも、指袋１の編成に使用した編針を使用することができる。側方編地面１０，２０は、指袋１，２間の指股５に形成する指股部分１６にウエールが連続し、孔開きがなく、かつ立体的で奥行きがある丸みを備える指股部分１６で指袋１，２同士を繋げることができる。側方編地面１０，２０は、指袋１，２の先端の指先部１２，２２を中間とする先行側部分１１，２１と後行側部分１３，２３とについてもウエールが連続するので、指先も余裕を持って収容することができる。実際に指袋付編地４として編成するのは、手袋や足指付靴下であり、手袋の場合、５本の指袋の指袋同士や指袋と胴部との間に本発明を適用することができる。
【００２２】
図３、図４および図５は、図２に示す編成方法の主要手順を、前後の針床で編針に編糸を供給して編目を形成する例を簡略化し、各手順をＳ＋数字で示している。各図では、前針床が下、後針床が上、となるように示す。側方編地面１０および接続編地面１５は、一方の針床に設ける端部まで編成して折返し、一方の針床の編端で他方の針床の編端に渡り、他方の針床に設ける端部まで編成して折返すように、編糸６を給糸部材７でＣ字状に給糸して編成する。なお、給糸部材７から給糸した編糸６を太い実戦で示す。
【００２３】
図３のＳ１では、ベース編地３の編幅の左端の区間の編目列に続けて、側方編地面１０の先行側部分１１となる最初のコース方向の編目列を、Ｃ字状に編成する。Ｓ２では、先行側部分１１の最初のコースとなる編目列を、ベース編地３の編幅の一方となる左方に移動させる。この移動は、編目列を対向する針床の編針に移動させ、針床のラッキング後、編目列を戻して行い、４枚ベッドの横編機や、２枚ベッドの横編機では針抜き編成を利用して行うことができる。編針としてスライダーのタングを歯口に進出させ、これに編目を預け置くことが可能な複合針を使用する横編機であれば、２枚ベッドの総針編成でも編目列の移動が可能となる。これによって、ベース編地３の終端コースとして残る編目列の左端と、移動した編目列の右端との間に、空き針１７が生じる。Ｓ３では、Ｓ２の空き針１７に掛け目１８を形成しながら、移動した編目列の編目に新たな編目を、Ｃ字状に形成する。Ｓ４では、Ｓ３で形成した掛け目１８を除く新たな編目列を左方に移動し、移動した編目列の右端と掛け目１８との間に空き針１７を生じさせる。図４のＳ５では、Ｓ４の空き針１７に掛け目１８を形成しながら、移動した編目列の編目に新たな編目をＣ字状に形成する。
【００２４】
以下、図示はしないが、このような掛け目１８を順次形成しながらコース方向の編目列編成を折返し編みで行い、掛け目１８を形成する。これを、ベース編地３から先行側部分１１の終端となる指袋１の先端まで繰返すことで、側方編地面１０の指先部１２に先行して指袋１の片側となる先行側部分１１を編成する先行側ステップが実行される。先行側部分１１は、編幅の一方となる左方に移動しながら編成するので、図２では、左上方向に傾斜するように記載される。傾斜した先行側部分１１の右側の斜辺には、コース方向の端部となる掛け目１８が形成される。傾斜した先行側部分１１の左側の斜辺では、前後の針床間で編幅の左端の編目が繋がっている。
【００２５】
図４のＳ６では、先行側部分１１のコース方向端部に形成された掛け目１８をコース方向に繋ぐように、指先部１２および接続編地面１５の最初のコースとなる新たな編目列をニットでＣ字状に形成する。Ｓ７では、Ｓ６で形成した編目列を、編幅の他方となる右方に移動させ、移動した編目列の右端の編目を、ベース編地３の終端コースの編目に重ねて重ね目１９を形成する。以下、コース方向の編目列を折返し編みで編成して編幅の他方に移動させてベース編地３の終端部の編目と重ねることを繰り返す。このようにして、一対の接続編地面１５を、側方編地面１０の指先部１２とともに編成する中間ステップが実行される。
【００２６】
図４のＳ８では、側方編地面１０で指先部１２に続く後行側部分１３の最初のコースとなる編目列を、Ｃ字状に編成する。図５のＳ９では、編成した編目列を右方に向けて移動させる。移動した編目列の端部の編目は、接続編地面１５の終端部の編目と重ねて重ね目１９を形成する。重ね目１９を端部として、後行側部分１３について後続のコース方向の編目列をＣ字状に編成して重ね目１９を接合し、さらに右方に移動させてベース編地３の終端部の編目と重ねた後に編成することで接合することを、繰返す。Ｓ１０では、後行側部分１３の最後のコースとなる編目列を右方に移動させて、編目列の右端の編目をベース編地３の終端部の重ね目１９と重ねる。このような手順を、指袋１の先端となる指先部１２に続く部分からベース編地３まで繰り返す後行側ステップで、後行側部分１３が編成される。
【００２７】
図５のＳ１１およびＳ１２では、指袋１，２間の指股５で、厚みを有して立体的な襠になる部分を編成する。すなわち、先に編成する指袋１の後行側部分１３に続き、Ｓ１１で指股部分１６の編目列をＣ字状に編成し、編成した編目列はＳ１２で右方に向けて移動させ、重ね目１９を形成する。このようにして、コース方向の端部の編目とベース編地３の終端部の編目とを接合するように、重ね目と新たな編目の形成とを繰り返して、指股部分１６を形成し、先に編成する指袋１の後行側部分１３と、指股部分１６とは、ウエールを連続させる。
【００２８】
なお、指股部分１６は、コース方向の中央部よりも端部でウエール方向１０Ｗの編目数が多くなるように形成することが好ましい。このような編成は、たとえばＳ１２で３目ずつ前後の針床に編目を形成する際に、折返し編成で左側の編目を留め置き、右側の編目を増やして差を設けて行うことができる。このようにすれば、ウエール方向の編目数の差によって指股５が双曲放物面のような滑らかな曲面となるように、立体的で奥行きがある丸みを備えるようにすることができる。
【００２９】
指股部分１６の形成後に、後に編成する指袋２で先行側部分２１の最初のコースとなる編目列を、Ｃ字状に編成し、後に編成する指袋２を、先に編成する指袋１と同様に、先行側ステップ、中間ステップ、および後行側ステップを含む編成で繰り返す。なお、指袋２で、指袋１に対応する部分には、参照符に１０を加えて、たとえば接続編地面１５に対して接続編地面２５と示し、重複する説明を省略する。本実施例の指袋１，２間の指股５は、ウエール方向に編目列が連続するので、孔開きがなく、かつ立体的で奥行きがある丸みを備える状態で、指袋１，２同士を繋げることができる。指先部１２，２２は、ウエールが先行側部分１１，２１および後行側部分１３，２３と連続するとともに、接続編地面１５と連続するコースを有する。指袋１，２の周囲となる編地面のコースとウエールとが連続するので、指袋１，２に挿入する指の指先にフィットさせることができる。
【００３０】
図６は、指袋付編地４を適用する一例としての手袋を示す。ベース編地３は、胴部となり、指袋１は人差指、指袋２は中指を収容する。先行側部分１１、指先部１２および後行側部分１３でウエール方向は連続する。このウエール方向は、指股部分１６にも連続している。中指を収容する指袋２と薬指を収容する指袋との間と、薬指を収容する指袋と小指を収容する指袋の間とにも、指股部分１６と同様に、襠となる指股部分を形成する。図６では、手首から、側方編地面１０，２０と同じ編幅で内増やしを行っているので、手首と指先にかけて同じ編幅のラインを繋げることができる。この編幅のラインは、コース方向の端部で、側方編地面１０，２０としては接続編地面１５，２５を介してベース編地３に接合され、指股部分１６では直接ベース編地３に接合される。編幅は、途中で変えることもできる。
【００３１】
また、図示の手袋では、親指の指袋を編成後、４本胴をベース編地として筒状に編成し、人差し指から小指にかけての各指袋を編成している。さらに、手の形状に合わせるために、親指の指袋の編成後に小指を収容する指袋のベース編地として４本胴を編成した後、小指の指袋と３本胴とを編成し、薬指から人差し指の指袋を、ベース編地としての３本胴から、順に編成してもよい。指股５に形成する襠は、掌側が小さく、甲側が大きいように、表裏で大きさを変えることが好ましい。
【００３２】
また、本実施例で得られる手袋や、同様の編成で得られる靴下では、指股５に厚みを持たせることができるため、着用時に指股５に負荷を掛けることを避けることが可能となり、浮腫などに対応する医療用にも適用可能となる。
【符号の説明】
【００３３】
１，２  指袋
３  ベース編地
４  指袋付編地
５  指股  
１０，２０  側方編地面
１０Ｗ，１５Ｗ，２０Ｗ  ウエール方向
１１，２１  先行側部分
１２，２２  指先部
１３，２３  後行側部分
１５，２５  接続編地面
１６  指股部分
１７  空き針
１８  掛け目
１９  重ね目
【図１】
2016216842.tif 000003
【図２】
2016216842.tif 000004
【図３】
2016216842.tif 000005
【図４】
2016216842.tif 000006
【図５】
2016216842.tif 000007
【図６】
2016216842.tif 000008